【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
表示装置に映像信号を出力する映像出力装置であって、
画像データ及び該画像データに付随する付加情報を記憶する記憶部と、
前記記憶部に記憶された前記画像データを復号して映像信号を生成する復号手段と、
前記表示装置の属性情報を取得する取得手段と、
前記取得手段が取得した前記属性情報に基づいて、前記映像信号に前記付加情報を合成するか、前記映像信号に前記付加情報を合成しないかを判定する判定手段と、
前記判定手段により合成すると判定された場合は、前記映像信号に前記付加情報を合成して前記表示装置に出力し、前記判定手段により合成しないと判定された場合は、前記映像信号と前記付加情報とを合成せずに個別に前記表示装置に出力する出力手段とを備えることを特徴とする映像出力装置。
【請求項２】
前記属性情報は、前記表示装置が有するディスプレイの数が識別可能な情報であり、
前記判定手段は、前記取得手段が取得した前記属性情報が示すディスプレイの数が一つである場合は、前記映像信号に前記付加情報を合成すると判定し、前記取得手段が取得した前記属性情報が示すディスプレイの数が複数である場合は、前記映像信号に前記付加情報を合成しないと判定することを特徴とする請求項１に記載の映像出力装置。
【請求項３】
前記属性情報は、前記表示装置が非合成伝送に対応しているか否かを示す情報であり、
前記判定手段は、前記取得手段が取得した前記属性情報が非合成伝送に対応していないことを示す場合は、前記映像信号に前記付加情報を合成すると判定し、前記取得手段が取得した前記属性情報が非合成伝送に対応していることを示す場合は、前記映像信号に前記付加情報を合成しないと判定することを特徴とする請求項１に記載の映像出力装置。
【請求項４】
前記属性情報は、前記画像データの映像を表示する第１のディスプレイとは異なる第２のディスプレイに前記付加情報を表示可能か否かを示す情報であり、
前記判定手段は、前記取得手段が取得した前記属性情報が前記第２のディスプレイに前記付加情報を表示可能であることを示す場合は、前記映像信号に前記付加情報を合成しないと判定し、他の場合は、前記映像信号に前記付加情報を合成すると判定することを特徴とする請求項１に記載の映像出力装置。
【請求項５】
前記出力手段は、前記判定手段により合成しないと判定された場合、前記映像信号と前記付加情報とを異なる転送経路で前記表示装置に出力する出力手段を備えることを特徴とする請求項１から請求項４までにいずれか一項に記載の映像出力装置。
【請求項６】
請求項１から請求項５までのいずれか一項に記載の映像出力装置と、前記表示装置とを備えた表示システムであって、
前記表示装置は、前記画像データの映像を表示するための第１のディスプレイと、前記付加情報を表示するための第２のディスプレイとを有することを特徴とする表示システム。
【請求項７】
前記表示装置は、複数の画像データに対応する複数の付加情報を記憶する記憶部を有し、前記記憶部に記憶された付加情報を対応する画像データに同期して表示させることを特徴とする請求項６に記載の表示システム。
【請求項８】
表示装置に映像信号を出力する映像出力装置であって、
ＯＳＤ画面データを生成する生成手段と、
前記表示装置の属性情報を取得する取得手段と、
前記取得手段が取得した前記属性情報に基づいて、前記映像信号に前記ＯＳＤ画面データを合成するか、前記映像信号に前記ＯＳＤ画面データを合成しないかを判定する判定手段と、
前記判定手段により合成すると判定された場合は、前記映像信号に前記ＯＳＤ画面データを合成して前記表示装置に出力し、前記判定手段により合成しないと判定された場合は、前記映像信号と前記ＯＳＤ画面データとを合成せずに個別に前記表示装置に出力する出力手段とを備えることを特徴とする映像出力装置。
【請求項９】
前記属性情報は、前記表示装置が有するディスプレイの数が識別可能な情報であり、
前記判定手段は、前記取得手段が取得した前記属性情報が示すディスプレイの数が一つである場合は、前記映像信号に前記ＯＳＤ画面データを合成すると判定し、前記取得手段が取得した前記属性情報が示すディスプレイの数が複数である場合は、前記映像信号に前記ＯＳＤ画面データを合成しないと判定することを特徴とする請求項８に記載の映像出力装置。
【請求項１０】
前記属性情報は、前記表示装置が非合成伝送に対応しているか否かを示す情報であり、
前記判定手段は、前記取得手段が取得した前記属性情報が非合成伝送に対応していないことを示す場合は、前記映像信号に前記ＯＳＤ画面データを合成すると判定し、前記取得手段が取得した前記属性情報が非合成伝送に対応していることを示す場合は、前記映像信号に前記ＯＳＤ画面データを合成しないと判定することを特徴とする請求項８に記載の映像出力装置。
【請求項１１】
前記属性情報は、前記映像を表示する第１のディスプレイとは異なる第２のディスプレイに前記ＯＳＤ画面データを表示可能か否かを示す情報であり、
前記判定手段は、前記取得手段が取得した前記属性情報が前記第２のディスプレイに前記ＯＳＤ画面データを表示可能であることを示す場合は、前記映像信号に前記ＯＳＤ画面データを合成しないと判定し、他の場合は、前記映像信号に前記ＯＳＤ画面データを合成すると判定することを特徴とする請求項８に記載の映像出力装置。
【請求項１２】
前記出力手段は、前記判定手段により合成しないと判定された場合、前記映像信号と前記ＯＳＤ画面データとを異なる転送経路で前記表示装置に出力することを特徴とする請求項８から請求項１１までにいずれか一項に記載の映像出力装置。
【請求項１３】
請求項８から請求項１２までのいずれか一項に記載の映像出力装置と、前記表示装置とを備えた表示システムであって、
前記表示装置は、前記映像を表示する第１のディスプレイと、前記ＯＳＤ画面データを表示する第２のディスプレイとを有することを特徴とする表示システム。
【請求項１４】
画像データ及び該画像データに付随する付加情報を記憶する記憶ステップと、
前記記憶ステップで記憶された前記画像データを復号して映像信号を生成する復号ステップと、
表示装置の属性情報を取得する取得ステップと、
前記取得ステップで取得した前記属性情報に基づいて、前記映像信号に前記付加情報を合成するか、前記映像信号に前記付加情報を合成しないかを判定する判定ステップと、
前記判定ステップで合成すると判定された場合は、前記映像信号に前記付加情報を合成して前記表示装置に出力し、前記判定ステップで合成しないと判定された場合は、前記映像信号と前記付加情報とを合成せずに個別に前記表示装置に出力する出力ステップとを備えることを特徴とする映像出力方法。
【請求項１５】
映像信号及びＯＳＤ画面データを生成する生成ステップと、
表示装置の属性情報を取得する取得ステップと、
前記取得ステップで取得した前記属性情報に基づいて、前記映像信号に前記ＯＳＤ画面データを合成するか、前記映像信号に前記ＯＳＤ画面データを合成しないかを判定する判定ステップと、
前記判定ステップで合成すると判定された場合は、前記映像信号に前記ＯＳＤ画面データを合成して前記表示装置に出力し、前記判定ステップで合成しないと判定された場合は、前記映像信号と前記ＯＳＤ画面データとを合成せずに個別に前記表示装置に出力する出力ステップとを備えることを特徴とする映像出力方法。
【手続補正２】
【補正対象書類名】明細書
【補正対象項目名】０００７
【補正方法】変更
【補正の内容】
【０００７】
上述した課題を解決するために、本発明に係る映像出力装置は、表示装置に映像信号を出力する映像出力装置であって、画像データ及び該画像データに付随する付加情報を記憶する記憶部と、前記記憶部に記憶された前記画像データを復号して映像信号を生成する復号手段と、前記表示装置の属性情報を取得する取得手段と、前記取得手段が取得した前記属性情報に基づいて、前記映像信号に前記付加情報を合成するか、前記映像信号に前記付加情報を合成しないかを判定する判定手段と、前記判定手段により合成すると判定された場合は、前記映像信号に前記付加情報を合成して前記表示装置に出力し、前記判定手段により合成しないと判定された場合は、前記映像信号と前記付加情報とを合成せずに個別に前記表示装置に出力する出力手段とを備えることを特徴とする。
【手続補正３】
【補正対象書類名】明細書
【補正対象項目名】０００８
【補正方法】変更
【補正の内容】
【０００８】
また、本発明に係る他の映像出力装置は、表示装置に映像信号を出力する映像出力装置であって、ＯＳＤ画面データを生成する生成手段と、前記表示装置の属性情報を取得する取得手段と、前記取得手段が取得した前記属性情報に基づいて、前記映像信号に前記ＯＳＤ画面データを合成するか、前記映像信号に前記ＯＳＤ画面データを合成しないかを判定する判定手段と、前記判定手段により合成すると判定された場合は、前記映像信号に前記ＯＳＤ画面データを合成して前記表示装置に出力し、前記判定手段により合成しないと判定された場合は、前記映像信号と前記ＯＳＤ画面データとを合成せずに個別に前記表示装置に出力する出力手段とを備えることを特徴とする。
【手続補正４】
【補正対象書類名】明細書
【補正対象項目名】０００９
【補正方法】変更
【補正の内容】
【０００９】
本発明に係る映像出力方法は、画像データ及び該画像データに付随する付加情報を記憶する記憶ステップと、前記記憶ステップで記憶された前記画像データを復号して映像信号を生成する復号ステップと、表示装置の属性情報を取得する取得ステップと、前記取得ステップで取得した前記属性情報に基づいて、前記映像信号に前記付加情報を合成するか、前記映像信号に前記付加情報を合成しないかを判定する判定ステップと、前記判定ステップで合成すると判定された場合は、前記映像信号に前記付加情報を合成して前記表示装置に出力し、前記判定ステップで合成しないと判定された場合は、前記映像信号と前記付加情報とを合成せずに個別に前記表示装置に出力する出力ステップとを備えることを特徴とする。
【手続補正５】
【補正対象書類名】明細書
【補正対象項目名】００１０
【補正方法】変更
【補正の内容】
【００１０】
また、本発明に係る他の映像出力方法は、映像信号及びＯＳＤ画面データを生成する生成ステップと、表示装置の属性情報を取得する取得ステップと、前記取得ステップで取得した前記属性情報に基づいて、前記映像信号に前記ＯＳＤ画面データを合成するか、前記映像信号に前記ＯＳＤ画面データを合成しないかを判定する判定ステップと、前記判定ステップで合成すると判定された場合は、前記映像信号に前記ＯＳＤ画面データを合成して前記表示装置に出力し、前記判定ステップで合成しないと判定された場合は、前記映像信号と前記ＯＳＤ画面データとを合成せずに個別に前記表示装置に出力する出力ステップとを備えることを特徴とする。
【手続補正６】
【補正対象書類名】明細書
【補正対象項目名】００３５
【補正方法】変更
【補正の内容】
【００３５】
また、ここでは映像出力装置１０が表示装置２０の属性情報に基づいて映像信号に付加情報を合成するか否かを判定する場合について説明したが、表示装置２０から映像出力装置１０に伝送方式を指定する構成であってもよい。具体的には、映像出力装置１０と表示装置２０との間で通信が確立した後に、適切な伝送方式を設定するコマンドを表示装置２０から映像出力装置１０に送信するようにしてもよい。また、映像出力装置１０及び表示装置２０の動作状態に応じて最適な通信速度を決定するようなプログラムを、表示装置２０から映像出力装置１０に配布するようにしてもよい。また、表示装置２０がサブディスプレイ２７に表示可能ではない付加情報を映像出力装置１０側で削除してから伝送するようなプログラムを、表示装置２０から映像出力装置１０に配布するようにしてもよい。
【手続補正７】
【補正対象書類名】明細書
【補正対象項目名】００３７
【補正方法】変更
【補正の内容】
【００３７】
映像出力装置３０の判定部３１は、属性情報取得部１６が取得した表示装置４０の属性情報に基づいて、映像復号部１２からの映像信号に付加情報抽出部１３により抽出された付加情報を合成するか否かを判定する。具体的には、判定テーブルを参照して、映像信号に付加情報を合成しないで伝送する非合成伝送方式に対応した機能を表示装置４０が有するか否かを判別する。
【手続補正８】
【補正対象書類名】明細書
【補正対象項目名】００３９
【補正方法】変更
【補正の内容】
【００３９】
図６に戻って、出力部１４は、判定部３１により非合成伝送方式に対応していないと判定された場合は、映像復号部１２からの映像信号に、付加情報抽出部１３により抽出された付加情報を合成して通信部１５に出力する。また、出力部１４は、判定部３１により非合成伝送方式に対応していると判定された場合は、付加情報抽出部１３により抽出された付加情報を合成しないで、映像復号部１２からの映像信号を通信部１５に出力する。
【手続補正９】
【補正対象書類名】明細書
【補正対象項目名】００４８
【補正方法】変更
【補正の内容】
【００４８】
サブディスプレイに表示可能であると特定されたＯＳＤ画面データは、ＳＶＧ（Ｓｃａｌａｂｌｅ  Ｖｅｃｔｏｒ  Ｇｒａｐｈｉｃｓ）形式で映像出力装置５０から表示装置２０に送信される。表示装置２０のデータ処理部２４は、ＳＶＧ形式のＯＳＤ画面データに描画処理を施す。